【事件の表示】
　特許第２９８９６０３号「弾球遊技機」の請求項１ないし７に係る特許に対する特許異議の申立てについて、次のとおり決定する。
【結　論】
　訂正を認める。
　特許第２９８９６０３号の請求項１ないし６に係る特許を維持する。
【理　由】
（１）手続の経緯
　特許第２９８９６０３号に係る発明についての出願は、平成１１年２月２６日に出願され、平成１１年１０月８日にその発明について特許の設定登録がなされ、その後、その特許について、異議申立人済藤隆義、川瀬節子および町田彬により特許異議の申立てがなされ、取消理由通知がなされ、その指定期間内である平成１３年２月９日に訂正請求がなされたものである。
　
（２）訂正の適否についての判断
ア．訂正の内容
ａ．特許請求の範囲の請求項１の第２〜３行目の「前記遊技盤装着枠（９）に電気信号用の中継基板（５７）を設けた」を、
「前記遊技盤装着枠（９）は、前記遊技盤（８）の上部を受ける上枠部（５０）と、前記遊技盤（８）の側部を受ける左右一対の側枠部（５１）（５２）とを備えると共に、前記前枠（２）の窓孔（６）に沿って前記前枠（２）の裏側に設けられており、前記上枠部（５０）の下側に、前記遊技盤装着枠（９）の内周側に突出するように基板取り付け部（２５）を設け、該基板取り付け部（２５）に電気信号用の中継基板（５７）を前後方向に取り付けた」と訂正する。
ｂ，特許請求の範囲の請求項２の第１〜３行目の「前記遊技盤装着枠（９）に〜取り付けた」を、
「前記基板取り付け部（２５）を前記遊技盤（８）の遊技領域（１８）の外側で且つ該遊技盤（８）の上隅部に対応させて配置すると共に、前記基板取り付け部（２５）を前記上枠部（５０）の遊技盤受け面（５３ａ）から後方に突出させて設け、前記基板取り付け部（２５）が嵌脱自在に嵌合する切り欠き部（２６）を前記遊技盤（８）に設けた」と訂正する。
ｃ．特許請求の範囲の請求項３の第１〜５行目の「前記遊技盤装着枠（９）は〜取り付けた」を、
「前記基板取り付け部（２５）は、上端が前記上枠部（５０）に一体に接続する左右一対の側板部（５８）と、該一対の側板部（５８）の下端間を左右に接続する接続板部（５９）とを備え、前記各側坂部（５８）に、前記中継基板（５７）を前後方向に挿入する基板挿入溝（６０）を形成し、前記接続板部（５９）側に前記基板挿入溝（６０）に挿入された前記中継基板（５７）を係脱自在に係止する係止爪（６１）を設けた」と訂正する。
ｄ，特許請求の範囲の請求項４の第１〜５行目の「前記基板取り付け部（２５）〜設けた」を、
「前記前枠（２）に、左右方向の一端側のヒンジ（７）廻りに開閉自在なガラス扉（４）を設け、該ガラス扉（４）側に、前記遊技動作に関連して発光表示する表示ランプ（４６）を設け、前記基板取り付け部（２５）を前記ヒンジのの近傍側で前記上枠部（５０）に設け、前記基板取り付け部（２５）の前記中継基板（５７）を介して前記表示ランプ（４６）を制御手段（３７）に接続した」と訂正する。
ｅ．特許請求の範囲の請求項５の第１〜５行目の「前記基板取り付け部（２５）〜設けた」を、
「前記上枠部（５０）を左右に分割された−対の分割枠部（５３）（５４）により構成し、該各分割枠部（５３）（５４）をこれに隣接する前記各側枠部（５１）（５２）の上端部に一体に成形し、前記分割枠部（５３）（５４）の一方に前記基板取り付け部（２５）を一体に成形した」と訂正する。
ｆ．特許請求の範囲の請求項６の第１〜６行目の「前記前枠（２）に〜弾球遊技機」を、
「前枠（２）に、遊技盤（８）を着脱自在に装着する遊技盤装着枠（９）を備えた弾球遊技機において、前記遊技盤装着枠（９）は、前記遊技盤（８）の上部を受ける上枠部（５０）と、前記遊技盤（８）の側部を受ける左右一対の側枠部（５１）（５２）とを備えると共に、前記前枠（２）の窓孔（６）に沿って前記前枠（２）の裏側に設けられており、前記側枠部（５１）（５２）に、前記遊技盤装着枠（９）の内周側に突出するように基板取り付け部（２５）を設け、該基板取り付け部（２５）に電気信号用の中継基板（５７）を前後方向に取り付けたことを特徴とする弾球遊技機」と訂正する。
ｇ．特許請求の範囲の請求項７を削除する。
ｈ．明細書の段落【０００６】の第３〜４行目の「前記遊技盤装着枠９に電気信号用の中継基板５７を設けている。」を、
「前記遊技盤装着枠９は、前記遊技盤８の上部を受ける上枠部５０と、前記遊技盤８の側部を受ける左右一対の側枠部５１，５２とを備えると共に、前記前枠２の窓孔６に沿って前記前枠２の裏側に設けられており、前記上枠部５０の下側に、前記遊技盤装着枠９の内周側に突出するように基板取り付け部２５を設け、該基板取り付け部２５に電気信号用の中継基板５７を前後方向に取り付けている。
　また、前枠２に、遊技盤８を着脱自在に装着する遊技盤装着枠９を備えた弾球遊技機において、前記遊技盤装着枠９は、前記遊技盤８の上部を受ける上枠部５０と、前記遊技盤８の側部を受ける左右一対の側枠部５１，５２とを備えると共に、前記前枠２の窓孔６に沿って前記前枠２の裏側に設けられており、前記側枠部５１，６２に、前記遊技盤装着枠９の内周側に突出するように基板取り付け部２５を設け、該基板取り付け部２５に電気信号用の中継基板５７を前後方向に取り付けている。」と訂正する。
ｉ．明細書の段落【００３６】の第３〜４行目の「前記遊技盤装着枠９に電気信号用の中継基板５７を設けている」を、
「遊技盤装着枠９は、遊技盤８の上部を受ける上枠部５０と、遊技盤８の側部を受ける左右一対の側枠部５１，５２とを備えると共に、前枠２の窓孔６に沿って前枠２の裏側に設けられており、上枠部５０の下側に、遊技盤装着枠９の内周側に突出するように基板取り付け部２５を設け、鼓基板取り付け部２５に電気信号用の中継基板５７を前後方向に取り付けている」と訂正する。
ｊ．明細書の段落【００３７】の第１〜３行目の「前記遊技盤装着枠９に〜取り付けている」を、
「、遊技盤装着枠９の内周側に突出するように基板取り付け部２５を設け、該基板取り付け部２５に中継基板５７を前後方向に取り付けている」と訂正する。
ｋ．明細書の段落【００３８】の第１〜４行目の「前記遊技盤装着枠９は〜取り付けている」を、
「遊技盤装着枠９は、遊技盤８の上部を受ける上枠部５０と、遊技盤８の側部を受ける左右一対の側枠部５１，５２とを備えると共に、前枠２の窓孔６に沿って前枠２の裏側に設けられており、上枠部５０の下側に、遊技盤装着枠９の内周側に突出するように基板取り付け部２５を設け、該基板取り付け部２５に電気信号用の中継基板５７を前後方向に取り付けている」と訂正する。
イ．訂正の目的の適否、新規事項の有無、及び拡張・変更の存否
　上記訂正事項ａは、請求項１に記載された「前記遊技盤装着枠（９）に電気信号用の中継基板（５７）を設けた」を、より下位概念である「前記遊技盤装着枠（９）は、前記遊技盤（８）の上部を受ける上枠部（５０）と、前記遊技盤（８）の側部を受ける左右一対の側枠部（５１）（５２）とを備えると共に、前記前枠（２）の窓孔（６）に沿って前記前枠（２）の裏側に設けられており、前記上枠部（５０）の下側に、前記遊技盤装着枠（９）の内周側に突出するように基板取り付け部（２５）を設け、該基板取り付け部（２５）に電気信号用の中継基板（５７）を前後方向に取り付けた」に限定しようとするものであり、特許請求の範囲の減縮を目的とする明細書の訂正に該当する。
　上記訂正事項ｂは、訂正前の請求項４に記載されていたものであり、実質的に訂正前の請求項４を訂正後の請求項２に繰り上げるものであるから、特許請求の範囲の減縮を目的とする明細書の訂正に該当する。
　上記訂正事項ｃは、訂正前の請求項５に記載されていたものであり、実質的に訂正前の請求項５を訂正後の請求項３に繰り上げるものであるから、特許請求の範囲の減縮を目的とする明細書の訂正に該当する
　上記訂正事項ｄは、訂正前の請求項６に記載されていたものであり、実質的に訂正前の請求項６を訂正後の請求項４に繰り上げるものであるから、特許請求の範囲の減縮を目的とする明細書の訂正に該当する。
　上記訂正事項ｅは、訂正前の請求項７に記載されていたものであり、実質的に訂正前の請求項７を訂正後の請求項５に繰り上げるものであるから、特許請求の範囲の減縮を目的とする明細書の訂正に該当する
　上記訂正事項ｆについては、特許明細書の特許請求の範囲の請求項１に記載された[前記遊技盤装着枠（９）に電気信号用の中継基板（５７）を設けた」を、より下位概念である「前記遊技盤装着枠（９）は、前記遊技盤（８）の上部を受ける上枠部（５０）と、前記遊技盤（８）の側部を受ける左右一対の側枠部（５１）（５２）とを備えると共に、前記前枠（２）の窓孔（６）に沿って前記前枠（２）の裏側に設けられており、前記側枠部（５１）（５２）に、前記遊技盤装着枠（９）の内周側に突出するように基板取り付け部（２５）を設け、該基板取り付け部（２５）に電気信号用の中継基板（５７）を前後方向に取り付けた」に限定しようとするものであるから、特許請求の範囲の減縮を目的とする明細書の訂正に該当する。
　上記訂正事項ｇについては、請求項７を削除するものであるから、特許請求の範囲の減縮を目的とする明細書の訂正に該当する。
　上記訂正事項ｈ〜ｋは、上記特許請求の範囲の訂正に伴って、これらと整合を図るために発明の詳細な説明を訂正するものであるから、明りょうでない記載の釈明を目的とする明細書の訂正に該当するものである。
　そして、上記訂正ａの「遊技盤装着枠（９）」が、「遊技盤（８）の上部を受ける上枠部（５０）と、遊技盤（８）の側部を受ける左右一対の側枠部（５１）（５２）とを備えると共に、前枠（２）の窓孔（６）に沿って前枠（２）の裏側に設けられており、上枠部（５０）の下側に、遊技盤装着枠（９）の内周側に突出するように基板取り付け部（２５）を設け」ている点は、訂正前の請求項２及び請求項３、段落００１６の第１〜３行目に記載されていたものであり、「基板取り付け部（２５）に電気信号用の中継基板（５７）を前後方向に取り付けた」点は、訂正前の請求項３に記載されていたものであり、上記訂正事項ｆの「遊技盤装着枠（９）」が、「遊技盤（８）の上部を受ける上枠部（５０）と、遊技盤（８）の側部を受ける左右一対の側枠部（５１）（５２）とを備えると共に、前枠（２）の窓孔（６）に沿って前枠（２）の裏側に設けられており、側枠部（５１）（５２）に、遊技盤装着枠（９）の内周側に突出するように基板取り付け部（２５）を設け」ている点は、訂正前の請求項２及び請求項３、段落００１６の第１〜３行目、段落００３１の第２〜５行目に記載されていたものであり、「基板取り付け部（２５）に電気信号用の中継基板（５７）を前後方向に取り付けた」点は、訂正前の請求項３に記載されていたものでに規定する特許請求の範囲の滅縮を目的とするものであって、願書に添付した明細書または図面に記載された事項の範囲を越えるものとは認められないから、新規事項の追加に該当せず、また特許請求の範囲を実質的に拡張または変更するものではない。
エ．むすび
　以上のとおりであるから、上記訂正は特許法第１２０条の４第２項及び同条第３項において準用する特許法第１２６条第２項および第３項の規定に適合するので、当該訂正を認める。
　
（３）特許異議の申立てについて
ア．申立ての理由の概要
　申立人町田彬は、甲第１ないし６号証を提出し、請求項１に係る発明の特許は、特許法第２９条第１項第３号の規定に違反してされたものであり、請求項２、３、５に係る発明の特許は、特許法第２９条第２項の規定に違反してされたものであるから取り消すべき旨主張し、申立人済藤隆義は、甲第１、２号証を提出し、請求項１に係る発明の特許は、特許法第２９条第２項の規定に違反してされたものであるから取り消すべき旨主張し、申立人川瀬節子は、甲第１号証を提出し、請求項１、２に係る発明の特許は、特許法第２９条第１項第３号の規定に違反してされたものであり、請求項４、６、７に係る発明の特許は、特許法第２９条第２項の規定に違反してされたものであり、請求項３に係る発明は、特許法第３６条第６項第２号の規定に違反してされたものであるから取り消すべき旨主張している。
　
イ．本件発明
　特許第２９８９６０３号の請求項１ないし６に係る発明は、上記訂正に係る訂正明細書の特許請求の範囲の請求項１ないし６に記載された次の事項により特定されるとおりである。
「【請求項１】前枠（２）に、遊技盤（８）を着脱自在に装着する遊技盤装着枠（９）を備えた弾球遊技機において、前記遊技盤装着枠（９）は、前記遊技盤（８）の上部を受ける上枠部（５０）と、前記遊技盤（８）の側部を受ける左右一対の側枠部（５１）（５２）とを備えると共に、前記前枠（２）の窓孔（６）に沿って前記前枠（２）の裏側に設けられており、前記上枠部（５０）の下側に、前記遊技盤装着枠（９）の内周側に突出するように基板取り付け部（２５）を設け、該基板取り付け部（２５）に電気信号用の中継基板（５７）を前後方向に取り付けたことを特徴とする弾球遊技機。
【請求項２】前記基板取り付け部（２５）を前記遊技盤（８）の遊技領域（１８）の外側で且つ該遊技盤（８）の上隅部に対応させて配置すると共に、前記基板取り付け部（２５）を前記上枠部（５０）の遊技盤受け面（５３８）から後方に突出させて設け、前記基板取り付け部（２５）が嵌脱自在に嵌合する切り欠き部（２６）を前記遊技盤（８）に設けたことを特徴とする請求項１に記載の弾球遊技機。
【請求項３】前記基板取り付け部（２５）は、上端が前記上枠部（５０）に一体に接続する左右一対の側板部（５８）と、該一対の側板部（５８）の下端間を左右に接続する接続板部（５９）とを備え、前記各側坂部（５８）に、前記中継基板（５７）を前後方向に挿入する基板挿入溝（６０）を形成し、前記接続板部（５９）側に前記基板挿入溝（６０）に挿入された前記中継基板（５７）を係脱自在に係止する係止爪（６１）を設けたことを特徴とする請求項１又は２に記載の弾球遊技機。
【請求項４】前記前枠（２）に、左右方向の一端側のヒンジ（７）廻りに開閉自在なガラス扉（４）を設け、該ガラス扉（４）側に、前記遊技動作に関連して発光表示する表示ランプ（４６）を設け、前記基板取り付け部（２５）を前記ヒンジのの近傍側で前記上枠部（５０）に設け、前記基板取り付け部（２５）の前記中継基板（５７）を介して前記表示ランプ（４６）を制御手段（３７）に接続したことを特徴とする請求項１〜３の何れかに記載の弾球遊技機。
【請求項５】前記上枠部（５０）を左右に分割された−対の分割枠部（５３）（５４）により構成し、該各分割枠部（５３）（５４）をこれに隣接する前記各側枠部（５１）（５２）の上端部に一体に成形し、前記分割枠部（５３）（５４）の一方に前記基板取り付け部（２５）を一体に成形したことを特徴とする請求項１〜４の何れかに記載の弾球遊技機。
【請求項６】前枠（２）に、遊技盤（８）を着脱自在に装着する遊技盤装着枠（９）を備えた弾球遊技機において、前記遊技盤装着枠（９）は、前記遊技盤（８）の上部を受ける上枠部（５０）と、前記遊技盤（８）の側部を受ける左右一対の側枠部（５１）（５２）とを備えると共に、前記前枠（２）の窓孔（６）に沿って前記前枠（２）の裏側に設けられており、前記側枠部（５１）（５２）に、前記遊技盤装着枠（９）の内周側に突出するように基板取り付け部（２５）を設け、該基板取り付け部（２５）に電気信号用の中継基板（５７）を前後方向に取り付けたことを特徴とする弾球遊技機。」
　
ウ．特許法第２９条第１項第３号および２９条第２項違反について
Ａ．申立人町田彬の提出した甲第１〜６号証記載の発明
　甲第１号証（特開平１０−２１６３２１号公報、以下、刊行物１という。）には、
「【０００９】弾球遊技機１は、縦長な方形状に枠組み形成される外枠２（図１３参照）と、該外枠２の一側に開閉自在に軸支され且つ弾球遊技機１の主要構成部のほほすべてが集約して設けられる枠基体３と、該枠基体３の前面に開閉自在に設けられる前面開閉枠４とから構成されている。」（３欄２５〜３０行）、
「【００４１】〜次に上述した遊技盤１６、機構板４０が着脱自在に装着される枠基体３の詳細な構造について図４乃至図７を参照して説明する。図４は、枠基体３の前方に装着される前面開閉板４と下皿７と枠基体３との関係を示す分解斜視図であり、図５は、前述した通りであり、図６は、枠基体３の正面図であり、図７は、枠基体３の背面図である。」（１３欄１８〜２５行）、
「【００４２】図において、枠基体３は、合成樹脂によって一体成型されるものであり、図６に示すように、上部の前記前面開閉枠４に対応する前面開閉枠対応板部８０と、下皿７、灰皿８、及び操作ハンドル９に対応する下皿対応板部８１とから構成されている。前面開閉枠対応部８０と下皿対応板部８１とは、図４に示すように僅かな段差をもって形成されており、また、前面開閉枠対応部８０のほぼ中央には、遊技盤１６の前記遊技領域２２が臨む開口８２が開設されている。開□８２は、馬蹄形状に形成されるが、その下部−側には、遊技盤１６の下部側方に貼付される各種団体の証明用の証紙が臨むための証紙用開口８３となっている。」（１３欄２６〜３７行）、
「【００４４】また、ランプ基板取付台８７に取り付けられたランプ基板８９には、それぞれ配線９２が接続されるが、その配線の一方の先端部には、コネクタ９４が設けられて、該コネクタ９４がランプ基板取付用段部８６の上部にビスで止着される中継基板９３に接続されている。中継基板９３には、ランプ基板８９に接続される配線以外に前面開閉枠４の開放を検出するドアスイッチ９６から伸びる配線９７の先端に取り付けられるコネクタ９５も接続されている。なお、ランプ基板８９と配線９２との接続は、コネクタではなくハンダ付けにより行われているが、コネクタ接続で行っても良い。」（１４欄４〜１４行）、
「【００５６】一方、枠基体３の裏面構造においては、図５及び図７に示すように、遊技盤収納リブ１３５が合成樹脂によって一体的に成型されている。しかして、遊技盤収納リブ１３５は、遊技盤１６を内側に収納支持し且つ固定するものであるため、遊技盤１６を支持する構造及び遊技盤１６を正確に固定するための部品を有する。また、遊技盤収納リブ１３５は、遊技盤１６の裏面に設けられて所定個数の景品玉を払い出すための各種の機構が設けられる機構板４０を正確に取り付けるための部品も有する。」（１７欄４５行〜１８欄４行）、
「【００５７】具体的には、遊技盤１６を収納支持する構造として遊技盤１６の左右前面と当接する内側当接段部１３７と、複数（２個）の位置決め突起１１６，１３６とがある。２つの位置決め突起１１６，１３６のうち、一方の位置決め突起１１６は、前記したように防犯用立壁１１４の裏面側に突設されるが、他方の位置決め突起１３６は、枠基体３の上部中央に突設される。」（１８欄５〜１１行）、
「【００５８】上記のような遊技盤収納構造においては、遊技盤１６の下部は、前記支持板部１０８の上面に載置されると共に位置決め突起１１６によって位置決めされ、左右を遊技盤収納リブ１３５及び内側当接段部１３７とによって規制され、更に、上部を位置決め突起１３６と内側当接段部１３７と同じ高さ位置に形成されるリブとによって当接位置決めすることにより遊技盤１６を正確な位置に収納されるようになっている。なお、上部位置には、外枠当接リブ１３８が突設されているが、この外側当接リブ１３８は、外枠２と枠基体３の内側との間隔を狭くして、枠基体３の上動範囲を小さくするものであり、これによって枠基体３を外枠２に対して閉じたときにガタ付きのないようになさしめている。」（１８欄１２〜２４行）、と記載されている。
　上記記載及び図４〜６の記載からみれば、刊行物１には、「枠基体３に、遊技盤１６を着脱自在に装着する遊技盤装着枠を備えた弾球遊技機において、前記遊技盤装着枠は、遊技盤１６の左右を遊技盤収納リブ１３５及び内側当接段部１３７とによって規制し、上部を位置決め突起１３６と内側当接段部１３７と同じ高さ位置に形成されるリブとによって当接位置決めすることにより遊技盤１６を正確な位置に収納されると共に、前記枠基体３の裏側に設けられており、前記枠基体３の表側にランプ取付用段部８６を設け、該ランプ取付用段部８６に中継基板９３を取り付けた弾球遊技機。」が記載されているものと認められる。
　甲第２号証（特開平１０一３０５１４６号公報、以下、刊行物２という。）には、
「前記前面枠体２は遊技盤５の遊技領域に相当する面積を規制する開口が設けられ、その開口に沿う周囲は隠蔽部とし、その背面に遊技盤５が当てられてレールで囲われる遊技領域を開口内に位置させ、その遊技盤５の背面に機構基板６が開閉係脱可能に設けられる。」（４欄１５〜１９行）、
「側枠１は木製板材で枠細みし、その一側上下に軸支部材１１が備えられ、合成樹脂製前面枠体２が開閉自由に軸支される。」（４欄２６〜２８行）、
「前面枠体２は前面板より巾広に形成され、合成樹脂で形成され傷に弱い装飾面が前面板が間接的にも前面枠体で保護される。主枠体２０の前面側には周囲に若干中狭の前面板３が合致する周壁２０１が形成され」（４欄４９行〜５欄３行）、
「前面枠体２の主枠体２０に設けられる遊技領域を規制する開口２１は遊技盤５の円形渦巻き状の誘導レール５０の遊技領域に相当する円形状とし、ほぼ四角形の木製遊技盤５が前面枠体２の背面側の遊技盤収容面２２０内に嵌合され、遊技盤５の遊技領域を決める誘導レール５０が円形の閉口２１内に嵌合され、遊技盤５は背面において係脱手段で止められる。」（５欄１９〜２５行）、
「前面枠体２の主枠体２０の背面構造は、図４、図５、図８、図９および図１８に示すように、中央部に遊技盤収容面２２０と、電気表示基板取付け部２２１と、配線スペース２２３、鍵装置収容部２４１等が構成されている。該遊技盤収容面２２０は遊技盤５の遊技領域５１の外側の否遊技領域５１ａの前面を隠蔽する隠蔽面２２ａと、遊技盤５をその上部、下部、左、右両側で包み収容する立て壁２２７とにより前面枠体２の中央に一体形成されている。すなわち、遊技盤収容面２２０は、遊技盤５に装設された球誘導レール５０の外周縁を取り囲む状態で第１の立て壁２２５が形成されて遊技面収容関口２１が設けられる一方、収容される遊技盤５の厚みに対応する第２の立て壁２２７が上下左右側部に対設されて遊技盤収容開□２２６が構成され、パチンコ機内に脱着可能に収容する遊技盤５を前面方向、上下方向、左右方向の何の方向にも、所定の中域を有する面接触で維持収容する構成にされ、遊技盤が適性な厚み内で確実に前面枠体内に収納できる。遊技盤５を収納した後、運搬時等の振動衝撃によって前面枠体に対する遊技盤の位置ずれ発生防止ができる。」（１０欄２６〜４５行）、
「前面枠体２の主枠体２０の裏面の周辺部には、各種基板の収容部が形成されている。すなわち、上部左側に表示ランプ８７の表示ランプ基板９０を収容する表示ランプ基板収容部２６１と、前面板開閉検知スイッチ用接続コネク夕２７０を取着するスイッチ用接続コネクタ収容部２６２と、上部右側にパチンコ機外部管理装置と接続する入出力回路基板２７１を位置指定して収容する入出力回路基板収容部２６３と、下部右側にカードデータ処理中継回路基板２７３を位置指定して収容する中継回路基板収容部２６５と、打球発射装置取付け基板２９１を位置指定して取付ける取付け基板取付け部２６６が一体形成され、左側には鍵装置収容部２４１が形成されている。」（１１欄３８〜５０行）、
「而して、表示ランプ基板収容部２６１には前記表示ランプ基板９０がビスで脱着可能に取付けられ、スイッチ用接続コネクタ収容部２６２には球切れ検出部接続コネクタ２７０が脱着可能に取付けられ、かつ、入出力回路基板収容部２６３には入出力回路基板２７１が、中継回路基板収容部２６５にはカードデータ処理中継回路基板２７３がそれぞれ位置指定して基板取付けビスで取着され、取付け基板収容部２６６には打球発射装置取付け基板２９１がビスで取着されている。【００３９】前記パチンコ機外部管理装置と接続する入出力回路基板２７１は、始動入賞数信号、大当たり発生処理信号、不正信号、入賞信号、払い出し動作（処理）信号、打球発射駆動信号、特別な入賞領域通過検出信号、球貸し処理信号、前面板開放信号、球切れ信号等を各別にパチンコ機内外に入出力するための多数のコネクタ２７１ａが列状に配設され、ヒューズ２７１ｂが備えられている。」（１２欄１〜１７行）、と記載されている。
　上記記載及び図４、９の記載からみて、刊行物２には、「前面枠体２に、遊技盤５を着脱自在に装着する遊技盤装着枠を備えた弾球遊技機において、前記遊技盤装着枠は、前記遊技盤５をその上部、下部、左、右両側で包み収容する立て壁２２７を備えると共に、前記枠体２の裏側（背面）に設けられており、前記前面枠体２の裏面の下部右側に中継回路基板収容部２６５を設け、該中継回路基板収容部２６５にカードデータ処理中継回路基板２７３を取り付けた弾球遊技機（パチンコ機）。」が記載されているものと認められる
　甲第３号証（特開平９−１７３５７４号公報、以下、刊行物３という。）には、
「本発明は、遊技盤側の制御を行う遊技制御回路及びパチンコ機本体側の制御を行う本体制御回路を備え、本体背面に設けられた中継基板における両制御回路との配線処理の集約化及び回路の保護手段を備えたパチンコ機に関するものである。」（１欄１６〜２０行）、
「パチンコ機１の外枠に開閉可能に蝶着した前面枠２の背面側には、遊技盤２ａを収納可能な金属板からなるリヤプレート３を添設すると共に、このリヤプレート３の背面側にベース本体４等の機構枠体を添設する。」（２欄９〜１３行）、
「前記ベース本体４は、主に上タンク１２をリヤプレート３に止着するための部材であって、リヤプレート３側に空部を有するほゞ皿状をなし、前記リヤプレート３の上方の所定位置に位置決めボス１４ａ及び１４ｂによって位置決めされた上、止着ビス１５等で適宜固定する。尚、このベース本体４には係合溝が設けてあり、後述する上タンク１２の係合片が係合するようになっている。」（２欄４６行〜３欄３行）、
「前記検出装置嵌入部２０と反対側の端部付近には、前記本体制御回路（ボックス）９からの配線ケーブル及び不正防止としてパチンコ機本体に設けた磁気検出手段、金枠開放検出手段等の配線ケーブルを管理コンピュータ（図示せず）に中継する中継基板取付部１６が形成されると共に、この中継基板取付部１６には、中継基板８５が止着されている。」（４欄３９〜４５行）、と記載されている。
　上記記載及び図１〜４、７の記載からみて、刊行物３には、「前面枠２に、遊技盤２ａを着脱自在に装着する遊技盤装着枠を備えた弾球遊技機において、前記遊技盤装着枠は、前記前面枠２の裏側（背面側）に設けられ、前記遊技盤２ａを収納可能な金属板リヤプレート３よりなり、前記リヤプレート３の裏面（背面側）に設けたベース本体４の裏面（背面側）に中継基板取付部１６を設け、前記中継基板取付部１６に中継基板８５を取り付けた弾球遊技機。」が記載されているものと認められる。
　甲第４号証（特開平７−２８９６８９号公報、以下、刊行物４という。）には、
「【請求項１】遊技盤（５）の後面に、球案内通路（６７）〜（６９）を有する集合板（２０）を装着し、遊技動作の制御を司る制御基板（２３）を、集合板（２０）との間に間隔を置いて遊技盤（５）の後側に設け、集合板（２０）と制御基板（２３）との間に中継基板（２１）を配置し、遊技盤（５）側の各電気部品を中継基板（２１）を介して制御基板（２３）に接続した弾球遊技機において、集合板（２０）に、後方に突出する複数個の係止突起（７８）〜（８１）を一体に設け、この各係止突起（７８）〜（８１）の先端部に、中継基板（２１）を着脱自在に係止する係止部（８２）〜（８５）を設けたことを特徴とする弾球遊技機の中継基板取り付け装置。」（特許請求の範囲）、
「【００２２】集合板２０は、中央入賞装置７の左右両側から上側に延びる突出部２０ａ，２０ｂを有し、この各延長部２０ａ，２０ｂの上端部と各球案内通路６７〜６９の下部側との４箇所に、集合板２０の後方に突出する４個の係止突起７８〜８１が一体に形成されている。上側の係止突起７８，７９は、図５及び図６に示すように、上下方向に適度な弾性を有する断面コ字状であって、先端部には中継基板２１の上端縁を係止する爪状の係止部８２，８３が一体に形成されている。」（４欄２７〜３５行）、
「【００２３】下側の係止突起８０，８１は、図５及び図７に示すように、剛性を確保すべ〈角筒状に構成され、先端部には中継基板２１の下端側を係止する係止部８４，８５が一体に形成されている。上側の係止部８２，８３は、中継基板２１の上端縁を上側から、下側の係止部８４，８５は中継基板２１の下端角部を下側から夫々係脱自在に係止するようになっている。なお、下側の係止部８４，８５には、中継基板２１の横移動を規制する規制部８４ａ，８５ａが一体に設けられている。」（４欄３６〜４４行）、
「【００３０】集合板２０の装着が完了すれば、各リード線３９〜４１等を作業の容易な箇所に適宜引き出して置き、次いで各係止突起７８〜８１の係止部８２〜８５に中継基板２１を係合させて係止する。この場合、中継基板２１の下端角部を左右一対の係止部８４，８５に上側から挿入して係合させた後、この下端側を支点として中継基板２１の上側を係止部８２，８５側に回動させ又は押して行くと、中継基板２１の上端縁が爪状の係止部８２，８３に係合するので、中継基板２１を上下、左右に移動不能に確実に固定できる。」（５欄３８〜４６行）、と記載されている。
　甲第５号証（特開平４−１６６１７６号公報、以下、刊行物５という。）には、
「一方、制御装置２００の構造は、１５図〜第１７図のようにＣＰＵ２０１、インタフェース２０２、入出力端子２０３〜２０８、タイマ発信回路２０９、電源駆動回路２１０等の各電気部品を配設、接続した基板２１５を収納する金属製のケース２１６からなる。」（１１頁左下欄８〜１３行）、
「ケース２１６の本体２１８は、長手方向の２つの側面２１９と１端面２２０を折り曲げ成形して筐枠としたもので、側面２１９の内側に平行に小さな溝２２１が設けられ、この溝２２１に開□側から基板２１５をあてがい、差し込むようになっている。本体２１８の側面２１９および端面２２０には、外部から基板２１５の入出力端子２０５〜２０８に配線コネクタを着脱するとともに、リセットスイッチ２１１を操作するための開□部２２２〜２２４が形成されている。」（１１頁右下欄２〜１１行）、
「ケース２１６の蓋２２５は、本体２１８に合わせて側面２２６、端面２２７、２２８を折り曲げ成形され、このうち一方の端面２２８が本体２１８の開□を覆うように延長され、他の面２２６，２２７が本体２１８の開□部２２２〜２２４に重ならない高さに形成されている。蓋２２５の端面２２８には、外部から基板２１５の入出力端子２０３，２０４に配線コネクタを着脱するための開口部２２９が形成されている。また、蓋２２５の端面２２８には、基板２１５のグランド面に貼設した両切片２１７に当接片２３０が内側に折り曲げ成形されている。」（１１頁右下欄１２行〜１２頁左上欄３行）、
「基板２１５を本体２１８の開□側から満２２１に差し込み、その開□側に蓋２２５をかぶせ、蓋２２５の嵌合凸部２３２を本体２１８の嵌合凹部２３１に嵌め合うと、基板２１５がケース２１６内に収納支持されると共に、ケース２１６が組付けられる。」（１２頁左上欄８〜１３行）、
「また、この組付けと同時に蓋２２５の端面２２８の当接片２３０が基盤２１５のグランド面の切片２１７に所定の押圧力で当接し、基板２１５のグランドがケース２１６に接続される。これにより、基板２１５が導電性のケース２１６によってシールドされる。」（１２頁左上欄１４〜１９行）、と記載されている。、
　甲第６号証（特開平８−２２９１９６号公報、以下、刊行物６という。）には、
「【００２１】図３に示すように、モータセット板３ａの下部には前記電動モータ３７の駆動制御基板４０をその保護のために収容固定するための基板収納ボックスとしてのハウジング４１が設けられている。このハウジング４１は、前記メインセット板３と対向する側に透孔４２ａを備えた第１分割体としての箱状の基体４２と、同基体４２の前面を被覆する第２分割体としての蓋体４３とにより構成されている。図１に示すように蓋体４３にはリード線接続用の開口部４３ａが形成されるとともに、その両側壁４３ｂの内面中間部には前記駆動制御基板４０の両端が挿入されて同基板４０を片持ち支持するための基板支持溝としての嵌合溝４４ａを備えた支持部４４が突設されている。そして、図３の二点鎖線で示すように蓋体４３に駆動制御基板４０を片持ち支持した状態で、この蓋体４３を基体４２に当接させた後、ビス４５により固定することにより、駆動制御基板４０が取付けられている。」（４欄３２〜４８行）、と記載されている。
　
Ｂ．申立人済藤隆義の提出した甲第１、２号証記載の発明
　甲第１号証（特開平１０ー２１６３２０号公報、以下、刊行物７という。）には、
「【０００８】弾球遊技機１は、縦長な方形状に枠組み形成される外枠２（図１３参照）と、該外枠２の一側に開閉自在に軸支され且つ弾球遊技機１の主要構成部のほぼすべてが集約して設けられる枠基体３と、該枠基体３の前面に開閉自在に設けられる前面開閉枠４とから構成されている。また、枠基体３に設けられる主要構成部としては、上記した前面開閉枠４、遊技盤１６、上皿６、灰皿８を含む下皿７、操作ハンドル９、機構板４０等がある。また、図示の実施形態では、弾球遊技機１の側方に遊技者に遊技玉を貸し出すためのユニット装置としてのカードユニット装置１１が付設されている。なお、外枠２の下部前面には、当て板１０が固着されており、閉成時に当て板１０の上辺に枠基体３が載置するようになっている。したがって、外枠２に枠基体３を開閉自在に軸支するための軸支金具３６（図１３参照）のうち下部の軸支金具（図示しない）は、当て板１０の一側上辺に固着されることとなる。」（３頁左欄１〜９行）、
「【００１８】以上、遊技盤１６の構成について詳細に説明してきたが、上記のように構成される遊技盤１６は、枠基体３の裏面側に形成される遊技盤収納リブ１３５に収納固定されるようになっている。遊技盤収納リブ１３５は、周知のように、ほぼ正方形状に構成される遊技盤１６を収納するように枠基体３の裏面に段差状に形成され、収納した遊技盤１６の裏面を押圧固定するための遊技盤固定レバー１４０が遊技盤収納リブ１３５の適宜箇所に取り付けられている。遊技盤１６を遊技盤固定レバー１４０によって収納固定した状態においては、その裏面から機構板４０が被覆されることとなる。」（４頁右欄８〜１８行）、
「【００４１】図において、枠基体３は、合成樹脂によって一体成型されるものであり、図６に示すように、上部の前記前面開閉枠４に対応する前面開閉枠対応板部８０と、下皿７、灰皿８、及び操作ハンドル９に対応する下皿対応板部８１とから構成されている。前面開閉枠対応部８０と下皿対応板部８１とは、図４に示すように僅かな段差をもって形成されており、また、前面開閉枠対応部８０のほぼ中央には、遊技盤１６の前記遊技領域２２が臨む開口８２が開設されている。開口８２は、馬蹄形状に形成されるが、その下部一側には、遊技盤１６の下部側方に貼付される各種団体の証明用の証紙が臨むための証紙用開口８３となっている。」（８頁左欄２〜１３行）、
「【００４２】また、前面開閉枠対応部８０の前面側であって開口８２の周辺は、ランプ基板８９を取り付けるためにその外側周辺よりもやや低いランプ基板取付用段部８６として形成されており、そのランプ基板取付用段部８６の上部及び左右両側にランプ基板８９が取り付けられている。より具体的には、ランプ基板取付用段部８６から２つの平行なリブ状のランプ基板取付台８７が突設され、そのランプ基板取付台８７に形成される取付爪８８でランプ基板８９を係止することにより、極めて簡単にランプ基板８９をランプ基盤取付用段部８６に取り付けることができる。なお、ランプ基板取付台８７にランプ基板８９を取り付けた状態では、ランプ基板８９に実装されるランプ９０がランプ基板取付用段部８６より前方に突出した状態、即ち、後述する前面開閉枠４の光漏れ防止用リブ３１０内に収納されるような位置関係となっている。」（８頁左欄１４〜２９行）、
「【００４３】また、ランプ基板取付台８７に取り付けられたランプ基板８９には、それぞれ配線９２が接続されるが、その配線の一方の先端部には、コネクタ９４が設けられて、該コネクタ９４がランプ基板取付用段部８６の上部にビスで止着される中継基板９３に接続されている。中継基板９３には、ランプ基板８９に接続される配線以外に前面開閉枠４の開放を検出するドアスイッチ９６から伸びる配線９７の先端に取り付けられるコネクタ９５も接続されている。なお、ランプ基板８９と配線９２との接続は、コネクタではなくハンダ付けにより行われているが、コネクタ接続で行っても良い。」（８頁左欄３０〜４０行）、
「【００５５】一方、枠基体３の裏面構造においては、図５及び図７に示すように、遊技盤収納リブ１３５が合成樹脂によって一体的に成型されている。しかして、遊技盤収納リブ１３５は、遊技盤１６を内側に収納支持し且つ固定するものであるため、遊技盤１６を支持する構造及び遊技盤１６を正確に固定するための部品を有する。また、遊技盤収納リブ１３５は、遊技盤１６の裏面に設けられて所定個数の景品玉を払い出すための各種の機構が設けられる機構板４０を正確に取り付けるための部品も有する。」（１０頁左欄２１〜３０行）、
「【００５６】具体的には、遊技盤１６を収納支持する構造として遊技盤１６の左右前面と当接する内側当接段部１３７と、複数（２個）の位置決め突起１１６，１３６とがある。２つの位置決め突起１１６，１３６のうち、一方の位置決め突起１１６は、前記したように防犯用立壁１１４の裏面側に突設されるが、他方の位置決め突起１３６は、枠基体３の上部中央に突設される。」（１０頁左欄３１〜３７行）、
「【００５７】上記のような遊技盤収納構造においては、遊技盤１６の下部は、前記支持板部１０８の上面に載置されると共に位置決め突起１１６によって位置決めされ、左右を遊技盤収納リブ１３５及び内側当接段部１３７とによって規制され、更に、上部を位置決め突起１３６と内側当接段部１３７と同じ高さ位置に形成されるリブとによって当接位置決めすることにより遊技盤１６を正確な位置に収納されるようになっている。なお、上部位置には、外枠当接リブ１３８が突設されているが、この外側当接リブ１３８は、外枠２と枠基体３の内側との間隔を狭くして、枠基体３の上動範囲を小さくするものであり、これによって枠基体３を外枠２に対して閉じたときにガタ付きのないようになさしめている。」（１０頁左欄３８〜５０行）、と記載されている。
　上記記載及び図４〜６、１３の記載からみれば、刊行物７には、「枠基体３に、遊技盤１６を着脱自在に装着する遊技盤装着枠を備えた弾球遊技機において、前記遊技盤装着枠は、遊技盤１６の左右を遊技盤収納リブ１３５及び内側当接段部１３７とによって規制し、上部を位置決め突起１３６と内側当接段部１３７と同じ高さ位置に形成されるリブとによって当接位置決めすることにより遊技盤１６を正確な位置に収納されると共に、前記枠基体３の裏側に設けられており、前記枠基体３の表側にランプ取付用段部８６を設け、該ランプ取付用段部８６に中継基板９３を取り付けた弾球遊技機。」が記載されているものと認められる。
　甲第２号証（特開平５ー４９７３７号公報、以下、刊行物８という。）には、
「【００１０】そこで、本発明は、パチンコ機１の前面側に配設する電気部品から延びるリード線２３を、パチンコ機１において前面側と背面側とを隔てる基板２４を通過させる際に、当該基板２４に装着部２５を形成し、この装着部２５に装着可能な第１部材２６と、該第１部材２６に着脱自在に止着する第２部材２７とからなる中継手段２８を介在させるようにした。」（３頁左欄１５〜２１行）、
「【００２６】【発明の効果】以上要するに本発明は、パチンコ機に設けた基板の前面側と背面側とに位置する電気部品と当該電気部品を制御する制御装置とを、第１部材と該第１部材に止着する第２部材とからなる中継手段を介して接続するようにしたので、組立時の配線接続作業が容易となり、作業性が向上する。また、電気部品が壊れたときには、長いリード線を引き回すことなく電気部品のみを交換すればよく、パチンコ機の前面側から全ての作業が可能になり、作業が容易となって作業時間の短縮等が可能である。更に、電気部品に接続したリード線が短いので、配線処理作業が容易になるばかりではなく、リード線が引っ張られたり、引っ掛かることもないので、断線等の危険が減少し、リード線が球詰まり等の不具合の原因になることもなく、実用的価値の高いパチンコ機を提供する。」（４頁右欄１２〜２６行）、と記載されている。
　
Ｃ．申立人川瀬節子の提出した甲第１号証記載の発明
　甲第１号証（特開平１１ー４２３５１号公報、以下、刊行物９という。）には、
「側枠１は木製板材で枠組みし、その一側上下に軸支部材１３が備えられ、合成樹脂製前面枠体２が開閉自由に軸支される。」（４欄１０〜１３行）、
「図１乃至図１０において、前面枠体２を説明する。前面枠体２は合成樹脂によって一体成形されるもので、その上部に遊技盤の遊技領域を規制する円形渦巻き状の誘導レールの外周面に合致する円形の開口２１を有する主枠体２０と、主枠体２０の前面側の上部の表示体収容部に装着する表示体発光部ホルダー８１と、球誘導レールカバー体２６と、発射レールユニット収容部２３１と、賞球ユニット収容部２３４と、球嵌まり込み防止縁２３５ａを有する球嵌まり込み防止板２３５と、その裏面側の遊技盤収容面２２０、配線スペース２２３、鍵装置収容部２４１等から構成されている。」（４欄２９〜３９行）、
「ほぼ四角形の木製遊技盤５が前面枠体２の背面側の遊技盤収容面２２０内に嵌合され、遊技盤５の遊技領域を決める誘導レール５０が円形の開口２１内に嵌合され、遊技盤５は背面において係脱手段で止められる。」（５欄１２〜１６行）、
「９２は配線引出し孔で、表示体発光部収容ホルダー８１内の基板８５より取り出された配線を前面枠体裏面に設けられる入出力回路基板２７１にコネクタ２７１ａを介して脱着可能に導出されている。」（６欄２４〜２７行）、
「【００１６】表示体８０、８７は複数の表示ランプ、ＬＥＤで、故障発生時、前面枠体等不正開放時、磁石不正使用時等の不正発生時、入賞時、始動入賞時、入賞装置内の特定領域にパチンコ球が落入した時、特別な権利がパチンコ機において発生した時、特別な表示態様が作動した時、図柄表示装置が作動した時、図柄表示装置において特別な表示体用が形成された時、特別な記憶状態ガ所定の記憶値に到達した時、賞球切れが発生した時、パチンコ機内において賞球、若しくは貸出し球が充満した時等に、各別に、又は同時に、或いは交互に点灯駆動する構成としてある。また複数の表示ランプの発光色を異ならせ、若しくは切換えて点灯駆動する構成としてもよい。」（６欄２８〜４０行）、
「【００２５】前面枠体２の主枠体２０の背面構造は、図４、図５、図６、図９、および図１０に示すように、中央部に遊技盤収容面２２０と、電気表示基板取付け部２２１と、配線スペース２２３、鍵装置収容部２４１等が構成されている。該遊技盤収容面２２０は遊技盤５の遊技領域５１の外側の否遊技領域５１ａの前面を隠蔽する隠蔽面２２ａと、遊技盤５をその上部、下部、左、右両側で包み収容する立て壁２２７とにより前面枠体２の中央に一体形成されている。すなわち、遊技盤収容面２２０は、遊技盤５に装設された球誘導レール５０の外周縁を取り囲む状態で第１の立て壁２２５が形成されて遊技面収容開口２１が設けられる一方、収容される遊技盤５の厚みに対応する第２の立て壁２２７が上下左右側部に対設されて遊技盤収容開口２２６が構成され、パチンコ機内に脱着可能に収容する遊技盤５を前面方向、上下方向、左右方向の何の方向にも、所定の巾域を有する面接触で維持収容する構成にされ、遊技盤が適性な厚み内で確実に前面枠体内に収納できる。遊技盤５を収納した後、運搬時等の振動衝撃によって前面枠体に対する遊技盤の位置ずれ発生防止ができる。」（１０欄６〜２５行）、
「【００２８】前面枠体２の主枠体２０の裏面の周辺部には、各種基板の収容部が形成されている。すなわち、上部左側に表示ランプ８７の表示ランプ基板９０を収容する表示ランプ基板収容部２６１と、前面板開閉検知スイッチ２１５を取着するスイッチ収容部２６２と、上部右側にパチンコ機外部管理装置と接続する入出力回路基板２７１を位置指定して収容する入出力回路基板収容部２６３と、下部右側にカードデータ処理中継回路基板２７３を位置指定して収容する中継回路基板収容部２６５と、打球発射装置取付け基板２９１を位置指定して取付ける取付け基板取付け部２６６が一体形成され、左側には鍵装置収容部２４１が形成されている。」（１１欄２０〜３１行）、
「【００２９】而して、表示ランプ基板収容部２６１には表示体用孔９３が設けられ、該表示体用孔９３に前記表示ランプ基板８８に備えた表示ランプ８７を位置させ、表示ランプ基板８８がビス孔２６１ａにビスで脱着可能に取付けられ、スイッチ収容部２６２にはスイッチ取付けフック２６４が設けられ、該スイッチ取付けフック２６４に前面板開閉検知スイッチ部材収容孔２１６に位置させる前面板開閉検知スイッチ２１５が脱着可能に取付けられ、かつ、入出力回路基板収容部２６３にはビス孔２６３ａに入出力回路基板２７１が、中継回路基板収容部２６５にはビス孔２６５ａにカードデータ処理中継回路基板２７３がそれぞれ位置指定して基板取付けビスで取着され、取付け基板収容部２６６にはビス孔２６６ａに打球発射装置取付け基板２９１がビスで取着されている。」（１１欄３２〜４６行）、
「【００３０】前記パチンコ機外部管理装置と接続する入出力回路基板２７１は、始動入賞数信号、大当たり発生処理信号、不正信号、入賞信号、払出し動作（処理）信号、打球発射駆動信号、特別な入賞領域通過検出信号、球貸し処理信号、前面板開放信号、球切れ信号等を各別にパチンコ機内外に入出力するための多数のコネクタ２７１ａが列状に配設され、ヒューズ２７１ｂが備えられている。また、カードデータ処理中継回路基板２７３はパチンコ機に対応してセットされるプリペードカード処理ユニットと、当該パチンコ機前面に設けられる球貸し操作および表示回路基板と、発射装置回路基板と、払出し回路基板等とを電気的に中継処理するものである。該中継回路基板２７３には、プリペードカード処理ユニット接続コネクタ２７３ａ、発射装置配線第１コネクタ２７３ｂ、カードデータ処理状態表示ＬＥＤ２７３ｃが備えられている。なお、２７６ａは払出し回路基板６１２と機構基板６の払出し駆動ユニット６１１との接続配線、２７６ｂは払出し回路基板６１２とカードデータ処理中継回路基板２７３との接続配線である。２７６ｃは発射装置との接続配線である。尚、上記の各種配線にはシールド線を信号線若しくは電源線と併設して引き回し配線する配線構造として、各種配線からノイズが侵入して入出力回路基板２７１、カードデータ処理中継回路基板２７３、図柄表示装置制御回路基板５１２、中央制御回路基板５１１、発射装置回路基板、中継基板５１３等の各種制御回路基板に誤動作が発生する事を防止する構造としてもよい。」（１１欄４７行〜１２欄２３行）、
「【００３９】前面枠体２の背面側には遊技盤を遊技盤収容面２２０に収容して後、離脱不能とする遊技盤５の係止め部材２５０、２５１が複数箇所に設けられている。係止め部材２５０は合成樹脂製でＬ字状に形成されて遊技盤面への作用片２５０ａ側が短く形成され、操作片２５０ｂ側が長くかつ巾広く形成され、そのＬ字の角部の支軸２５２が主枠体２０の一側に設けられた支軸部２５３に回動可能に設けられ、係止め部材２５０の固定操作前においては操作面を前面枠体の端縁側に突出させて短い作用片が遊技盤収容面２２０から外れた位置、すなわち縦方向となり、遊技盤の固定後においては操作面が前面枠体の端縁内に収容され、短い作用片が遊技盤５の背面に係止固定される作動変位を呈する形態とする。前記係止め部材２５０の操作片は作用片側に比較して固定後においての開放操作を容易とするため所定の広い巾として形成された開放作用面が形成され、遊技盤固定時には遊技盤縁外への操作部の露出量を無くすとともに開放離脱操作を容易としてある。主枠体２０の下部の板状部２５には係止め部材収容部２５４が円形に形成され、係止め部材２５１が回動自由に備えられ、係止め部材２５１の先端の係止め部２５１ａが遊技盤５の背面に係脱可能に備えられている。すなわち、係止め部材２５１は合成樹脂製でＩ状で円形の係止め部材収容部２５４に嵌合して回動しうる形状とし、その一側に係止め部材収容部２５４の背面に露出して先端の係止め部２５１ａが形成され、その係止め部材２５１の中央が支軸２５５で回動自在に設けられる。２５４ａは係止め部材２５１の回動量を縦から横へ９０度とする回動量規制孔で、該回動量規制孔に係止め部材２５１の後端２５１ｂを係合させる。而して、該係止め部材２５１で遊技盤５を固定する場合には、係止め部材２５１を縦にして先端の係止め部２５１ａを遊技盤５の背面に係止固定させ、遊技盤５を外す時は、係止め部材２５１をほぼ９０度回動して横向きとし、先端の係止め部２５１ａを遊技盤５の背面から外し、遊技盤を解放させ、遊技盤５は遊技盤収容開口２２６から外すことができる。」（１４欄３８行〜１５欄２３行）、
「図１、図１１乃至図１３において、前記前面枠体２の遊技盤収容面２２０に収容される遊技盤５は、ほぼ正方形の合板により構成され、その周辺の隅角部は遊技盤収容面２２０の形状に合致する形状とされている。すなわち、上部右側には入出力回路基板位置指定用切欠き５２ａ、上部左側には検出部接続コネクタ収容部２６２のＬ型壁面に嵌合させる位置指定用切欠き５２ｂ、下部左側には賞球ユニット収容部２３４のＬ型壁面に位置指定して嵌合させる位置指定用切欠き５２ｃが形成され、かつ周辺に前記前面枠体２の主枠体２０の背面の位置決め突起２２８に位置決め嵌合する嵌合孔５３が透設され、その前面には打球発射装置２９０により打球発射レール２３３から発射される打球を遊技領域へ誘導し、かつ遊技領域５１を形成する円形渦巻き状に誘導レール５０が設けられてその遊技領域外は否遊技面５１ａとなり、前面枠体２の遊技面隠蔽部２２の背面の隠蔽面２２ａに当接させて隠蔽させ、該誘導レール５０の内側が遊技領域５１とされて打球が転動するものである。遊技領域内には、特別図柄表示装置５４、大入賞口５５、風車、釘等が設けられ、かつ、遊技領域の最下部にはアウト球口５６が設けられている。又誘導レール５０の内周の両側に円弧状の表示体収容孔５７が形成され、表示体として表示ランプ５８が配置される。この表示ランプ５８は表示ランプ基板５１６にＬＥＤが複数個備えられている。遊技盤５の遊技領域外の下部に合成樹脂製シール貼着部５９が構成されている。而して、シール２１４がこのシール貼着部５９に貼着されて前記前面枠体２のシール貼着用開口部２１２を通じて正面から透視できるように設ける。遊技盤５の上部一側にＵ字型に切欠した遊技盤取出し用孔５０４が設けられ、遊技盤を遊技盤収容面２２０から外す時、該遊技盤取出し用孔５０４に指等を掛けて引出し可能とする。」（１６欄１〜３２行）、
「【００４５】図９に示すように、両側に配置された係止め部材２５０の操作片２５０ｂを外方へ９０度回動して作用片２５０ａを縦向きとして遊技盤５を嵌める遊技盤収容面２２０の外方へ位置させ、又下方に配置された係止め部材２５１を９０度回動して横向きとし、先端の係止め部２５１ａを遊技盤収容面２２０の外方へ位置させ、しかる後、図１４に示すように、該遊技盤５の前面枠体３の遊技盤収容面２２０への装着構造は、遊技盤５の嵌合孔５３を主枠体２０の背面の位置決め突起２２８に嵌合させて位置決めさせ、遊技盤５の遊技領域５１を第１の立て壁２２５に嵌合し、遊技盤５の周囲を第２の立て壁２２７に合致させて遊技盤収容面２２０に収容して後、前面枠体３の背面複数箇所に設けられたＬ字状係止め部材２５０の操作片２５０ｂを９０度回動して作用片２５０ａを遊技盤５の背面に係合させ、かつ先端に係止め部２５１ａが設けられた係止め部材２５１を９０度回動して先端の係止め部２５１ａを遊技盤５の背面に係合させ遊技盤５が両側と下方において的確に固定される。」（１７欄４６行〜１８欄１４行）、
「前面枠体２には電気配線処理手段として、その裏面側において、遊技盤５の装着前に、入出力回路基板２７１と、打球発射装置２９０と、不正検出スイッチ（前面板開閉検知スイッチ）２１５と、表示ランプ基板８８と、カードデータ処理回路基板２７３とを、コネクタを介して電気配線した後、遊技盤５の装着後中央制御回路基板５１１と入出力回路基板２７１と、カードデータ処理回路基板２７３と電気配線する配線処理構造を有する。」（３５欄１４〜２２行）、と記載されている。
　上記記載及び図４〜６、９〜１４の記載からみて、刊行物９には、「前面枠体２に、遊技盤５を着脱自在に装着する遊技盤装着枠を備えた弾球遊技機において、前記遊技盤装着枠は、前記遊技盤５をその上部、下部、左、右両側で包み収容する立て壁２２７を備えると共に、前記枠体２の裏側（背面）に設けられており、前記前面枠体２の裏面の上部右側に入出力回路基板収容部２６３を設け、該入出力回路基板収容部２６３に入出力回路基板２７１を取り付けた弾球遊技機（パチンコ機）。」が記載されているものと認められる
　
Ｄ．対比・判断
（ｉ）請求項１に係る発明について
　ａ．請求項１に係る発明と刊行物１または７に記載の発明を対比すると、刊行物１、７に記載の「枠基体３」、「遊技盤１６の左右を遊技盤収納リブ１３５及び内側当接段部１３７」、「上部を位置決め突起１３６と内側当接段部１３７と同じ高さ位置に形成されるリブ」、「ランプ取付用段部８６」、「中継基板９３」は、請求項１に記載の「前枠（２）」、「遊技盤（８）の側部を受ける左右一対の側枠部（５１）（５２）」、「遊技盤（８）の上部を受ける上枠部（５０）」、「基板取り付け部（２５）」、「中継基板（５７）」に相当するから、両者は、「前枠に、遊技盤を着脱自在に装着する遊技盤装着枠を備えた弾球遊技機において、前記遊技盤装着枠は、前記遊技盤の上部を受ける上枠部と、前記遊技盤の側部を受ける左右一対の側枠部とを備えると共に、前記前枠の裏側に設けられ、前記遊技盤装着枠に基板取り付け部を設け、該基板取り付け部に電気信号用の中継基板を取り付けた弾球遊技機。」である点で一致するが、基板取り付け部（ランプ取付用段部８６）は、遊技盤装着枠が設けられている面とは反対側の面に設けられ、中継基板（中継基板９３）は、上下または左右方向に配置されているから、刊行物１、７に記載の発明は、請求項１に係る発明の構成要件である「上枠部に、遊技盤装着枠の内周側に突出するように基板取り付け部を設け、該基板取り付け部に電気信号用の中継基板を前後方向に取り付けたこと」を具備していない。
　したがって、請求項１に係る発明は、刊行物１または７に記載された発明とすることはできない。
　また、刊行物８にも、請求項１に係る発明の前記構成要件は何ら記載されていないから、刊行物１または７に記載された発明および刊行物８に記載された発明に基づいて当業者が容易に発明をすることができたものとすることもできない。
　ｂ．請求項１に係る発明と刊行物２または９に記載の発明を対比すると、刊行物２または９に記載の「前面枠体２」、「遊技盤５をその上部、下部、左、右両側で包み収容する立て壁２２７」、「入出力回路基板収容部２６３または中継回路基板収容部２６５」、「入出力回路基板２７１またはカードデータ処理中継回路基板２７３」は、請求項１に記載の「前枠（２）」、「遊技盤（８）の上部を受ける上枠部（５０）と、前記遊技盤（８）の側部を受ける左右一対の側枠部（５１）（５２）」、「基板取り付け部（２５）」、「中継基板（５７）」に相当するから、両者は、「前枠に、遊技盤を着脱自在に装着する遊技盤装着枠を備えた弾球遊技機において、前記遊技盤装着枠は、前記遊技盤の上部を受ける上枠部と、前記遊技盤の側部を受ける左右一対の側枠部とを備えると共に、前記前枠の裏側に設けられ、前記遊技盤装着枠に基板取り付け部を設け、該基板取り付け部に電気信号用の中継基板を取り付けた弾球遊技機。」である点で一致するが、基板取り付け部（入出力回路基板収容部２６３または中継回路基板収容部２６５）は、上枠部と、左右一対の側枠部（立て壁２２７）の外周側に設けられ、中継基板（入出力回路基板２７１またはカードデータ処理中継回路基板２７３）は、上下または左右方向に配置されているから、刊行物２または９に記載の発明は、請求項１に係る発明の構成要件である「上枠部に、遊技盤装着枠の内周側に突出するように基板取り付け部を設け、該基板取り付け部に電気信号用の中継基板を前後方向に取り付けたこと」を具備していない。
　したがって、請求項１に係る発明は、刊行物２または９に記載された発明とすることはできない。
　また、請求項１に係る発明は、「上枠部に、遊技盤装着枠の内周側に突出するように基板取り付け部を設けること」と「この基板取り付け部に電気信号用の中継基板を前後方向に取り付けたことること」の二つの条件を満たすことより、明細書記載の効果を奏するものであるから、刊行物２、９には、「上枠部に、遊技盤装着枠の内周側に突出するように基板取り付け部を設けること」が記載も示唆もされていない以上、刊行物５、６に、「基板取り付け部に電気信号用の中継基板を前後方向に取り付けること」が記載されているとしても、請求項１に係る発明は、刊行物２または９に記載された発明および刊行物５、６に記載された発明に基づいて当業者が容易に発明をすることができたものとすることもできない。
　ｃ．請求項１に係る発明と刊行物３に記載の発明を対比すると、刊行物３に記載の「前面枠２」、「前面枠２の裏側（背面側）に設けられ、前記遊技盤２ａを収納可能な金属板リヤプレート３」、「中継基板取付部１６」は、請求項１に記載の「前枠（２）」、「遊技盤（８）の上部を受ける上枠部（５０）と、前記遊技盤（８）の側部を受ける左右一対の側枠部（５１）（５２）」、「基板取り付け部（２５）」に相当するから、両者は、「前枠に、遊技盤を着脱自在に装着する遊技盤装着枠を備えた弾球遊技機において、前記遊技盤装着枠は、前記遊技盤の上部を受ける上枠部と、前記遊技盤の側部を受ける左右一対の側枠部とを備えると共に、前記遊技盤装着枠に基板取り付け部を設け、該基板取り付け部に電気信号用の中継基板を取り付けた弾球遊技機。」である点で一致するが、基板取り付け部（中継基板取付部１６）は、遊技盤装着枠に備えられた上枠部と左右一対の側枠部（リヤプレート３）の裏面にベース本体を介して設けられ、中継基板（中継基板）は、上下または左右方向に配置されているから、刊行物３には、請求項１に係る発明の構成要件である「上枠部に、前記遊技盤装着枠の内周側に突出するように基板取り付け部を設け、該基板取り付け部に電気信号用の中継基板を前後方向に取り付けたこと」を具備していない。
　したがって、請求項１に係る発明は、刊行物３に記載された発明とすることはできない。
　また、上記ｂに記載したと同様の理由により、請求項１に係る発明は、刊行物３に記載された発明および刊行物５、６に記載された発明に基づいて当業者が容易に発明をすることができたものとすることもできない。
（ｉｉ）請求項２〜５に係る発明
  請求項２〜５に係る発明は、請求項１に係る発明の構成要件をすべて含み、さらにその構成要件を限定ないし他の構成要件を付加したものに相当するから、上記（ｉ）で説示したと同様の理由により、刊行物１〜９に記載の発明に基づいて当業者が容易に発明をすることができたものとすることはできない。
（ｉｉｉ）請求項６に係る発明について
　請求項６に係る発明は、請求項１に係る発明の「上枠部に、前記遊技盤装着枠の内周側に突出するように基板取り付け部を設け」の「上枠部」を「側枠部」としたものであり、刊行物１〜３、７〜９には、上枠部材にも側枠部にも、遊技盤装着枠の内周側に突出するように基板取り付け部を設けることについての記載はないし、また、このことを示唆する記載も認められない以上、上記（ｉ）に記載の理由と同様に、刊行物１〜３、７または９に記載された発明とすることはできず、刊行物１〜９に記載された発明に基づいて当業者が容易に発明をすることができたものとすることもできない。
　
エ．特許法第３６条第６項第２号違反について
　申立人川瀬節子は、
　ａ．請求項１に記載の「遊技盤装着枠（９）の内周側に突出するように基板取り付け部（２５）を設け」は、図８の記載と一致せず、
　ｂ．同項に記載の「板取り付け部（２５）に電気信号用の中継基板（５７）を前後方向に取り付けた」の「前後方向は」は不明確であるから、
　請求項１に係る発明は、特許法第３６条第６項第２号の規定を満たしていない旨主張している。
　よって、上記主張を検討する。
　ａ．については、図８は【図面の簡単な説明】に記載のように「本発明の一実施形態を示す
基板取付部の斜視図
　ｂ．については、本件明細書段落【００１９】、【００２１】の記載からみれば、弾球遊技機のガラス扉４側を前、裏機構板２８側を後とし、中継基板５７の前端をガラス扉側に、後端を裏機構板２８側となるように取付方向を規定したものと認められるから、「前後方向」の記載が不明確であるとすることはできない。
　なお、申立人は、請求項３に係る発明を対象に、特許法第３６条第６項第２号違反を主張しているが、訂正により、請求項３に記載の事項は、請求項１に組み込まれたので、請求項３を請求項１と読み替えた。
　
オ．むすび
　以上のとおりであるから、特許異議申立ての理由および証拠によっては、本件請求項１〜６に係る発明の特許を取り消すことはできない。
　また、他に本件請求項１〜６に係る発明の特許を取り消すべき理由を発見しない。
　よって、結論のとおり決定する。　
【異議決定日】
平成１５年３月４日（２００３．３．４）
【訂正の要旨】
訂正の要旨
　審決（決定）の【理由】欄参照。
（５４）【発明の名称】
弾球遊技機
（５７）【特許請求の範囲】
　【請求項１】　前枠（２）に、遊技盤（８）を着脱自在に装着する遊技盤装着枠（９）を備えた弾球遊技機において、
前記遊技盤装着枠（９）は、前記遊技盤（８）の上部を受ける上枠部（５０）と、前記遊技盤（８）の側部を受ける左右一対の側枠部（５１）（５２）とを備えると共に、前記前枠（２）の窓孔（６）に沿って前記前枠（２）の裏側に設けられており、前記上枠部（５０）の下側に、前記遊技盤装着枠（９）の内周側に突出するように基板取り付け部（２５）を設け、該基板取り付け部（２５）に電気信号用の中継基板（５７）を前後方向に取り付けた
　【請求項２】　
前記基板取り付け部（２５）を前記遊技盤（８）の遊技領域（１８）の外側で且つ該遊技盤（８）の上隅部に対応させて配置すると共に、前記基板取り付け部（２５）を前記上枠部（５０）の遊技盤受け面（５３ａ）から後方に突出させて設け、前記基板取り付け部（２５）が嵌脱自在に嵌合する切り欠き部（２６）を前記遊技盤（８）に設けた
　【請求項３】　
前記基板取り付け部（２５）は、上端が前記上枠部（５０）に一体に接続する左右一対の側板部（５８）と、該一対の側板部（５８）の下端間を左右に接続する接続板部（５９）とを備え、前記各側板部（５８）に、前記中継基板（５７）を前後方向に挿入する基板挿入溝（６０）を形成し、前記接続板部（５９）側に前記基板挿入溝（６０）に挿入された前記中継基板（５７）を係脱自在に係止する係止爪（６１）を設けた
　【請求項４】　
前記前枠（２）に、左右方向の一端側のヒンジ（７）廻りに開閉自在なガラス扉（４）を設け、該ガラス扉（４）側に、前記遊技動作に関連して発光表示する表示ランプ（４６）を設け、前記基板取り付け部（２５）を前記ヒンジ（７）の近傍側で前記上枠部（５０）に設け、前記基板取り付け部（２５）の前記中継基板（５７）を介して前記表示ランプ（４６）を制御手段（３７）に接続した
　【請求項５】　
前記上枠部（５０）を左右に分割された一対の分割枠部（５３）（５４）により構成し、該各分割枠部（５３）（５４）をこれに隣接する前記各側枠部（５１）（５２）の上端部に一体に成形し、前記分割枠部（５３）（５４）の一方に前記基板取り付け部（２５）を一体に成形した
　【請求項６】　
前枠（２）に、遊技盤（８）を着脱自在に装着する遊技盤装着枠（９）を備えた弾球遊技機において、前記遊技盤装着枠（９）は、前記遊技盤（８）の上部を受ける上枠部（５０）と、前記遊技盤（８）の側部を受ける左右一対の側枠部（５１）（５２）とを備えると共に、前記前枠（２）の窓孔（６）に沿って前記前枠（２）の裏側に設けられており、前記側枠部（５１）（５２）に、前記遊技盤装着枠（９）の内周側に突出するように基板取り付け部（２５）を設け、該基板取り付け部（２５）に電気信号用の中継基板（５７）を前後方向に取り付けたことを特徴とする弾球遊技機
【発明の詳細な説明】
　【０００１】
　【発明の属する技術分野】
　本発明は、パチンコ機、アレンジボール機、雀球遊技機等の弾球遊技機に関するものである。
　【０００２】
　【従来の技術】
　パチンコ機等の弾球遊技機には、遊技盤の前面側に対応するガラス扉を、その左右方向の一端側のヒンジにより前枠に開閉自在に枢着する一方、このガラス扉の上部で前枠の上端部を前側から覆うように、ガラス扉を上下方向に長く構成し、このガラス扉の上部側に大当たり表示ランプ等の各種の表示ランプを組み込んで、遊技動作に関連して表示ランプを発光させるようにしたものがある。
　【０００３】
　この場合、ガラス扉側の表示ランプを遊技盤の裏側等の制御手段にリード線を介して接続する必要がある。そこで、従来は、遊技盤の裏側に配置された裏機構板等の裏面に中継基板を設け、ガラス扉側からのリード線を前枠のヒンジ近傍を経て裏機構板の裏側へと引き出して、裏機構板等の裏側でリード線を中継基板のコネクタに接続する構造を採っている。
　【０００４】
　【発明が解決しようとする課題】
　従来の構造では、中継基板が裏機構板等の裏側にあり、前枠のヒンジ近傍を経て裏機構板の裏側へと引き出したリード線をその裏側で中継基板に接続しているため、組み立て、分解等に際してのリード線の引き出しが非常に困難であり、作業が非常に煩雑になる問題がある。またガラス扉、裏機構板の開閉時にリード線が損傷し易く、リード線の断線等を招き易い欠点がある。
　【０００５】
　本発明は、かかる従来の問題点に鑑み、リード線を容易且つ確実に接続できると共に、組み立て、分解等の作業を容易にでき、しかもリード線の損傷等を防止できる弾球遊技機を提供することを目的とする。
　【０００６】
　【課題を解決するための手段】
　本発明は、前枠２に、遊技盤８を着脱自在に装着する遊技盤装着枠９を備えた弾球遊技機において、
前記遊技盤装着枠９は、前記遊技盤８の上部を受ける上枠部５０と、前記遊技盤８の側部を受ける左右一対の側枠部５１，５２とを備えると共に、前記前枠２の窓孔６に沿って前記前枠２の裏側に設けられており、前記上枠部５０の下側に、前記遊技盤装着枠９の内周側に突出するように基板取り付け部２５を設け、該基板取り付け部２５に電気信号用の中継基板５７を前後方向に取り付けている。
　
また、前枠２に、遊技盤８を着脱自在に装着する遊技盤装着枠９を備えた弾球遊技機において、前記遊技盤装着枠９は、前記遊技盤８の上部を受ける上枠部５０と、前記遊技盤８の側部を受ける左右一対の側枠部５１，５２とを備えると共に、前記前枠２の窓孔６に沿って前記前枠２の裏側に設けられており、前記側枠部５１，５２に、前記遊技盤装着枠９の内周側に突出するように基板取り付け部２５を設け、該基板取り付け部２５に電気信号用の中継基板５７を前後方向に取り付けている。
　【０００７】
　【発明の実施の形態】
　以下、本発明の一実施形態を図面に基づいて詳述する。図１〜図３において、１は外枠、２は前枠で、この前枠２は外枠１の前側に左右方向の一端側のヒンジ３を介して開閉自在に枢着されている。４はガラス扉、５は開閉板で、これらは前枠２の窓孔６に対応して上下に配置され、前枠２用のヒンジ３と同一側のヒンジ（図７参照）により前枠２の前側から開閉自在に枢支されている。
　【０００８】
　８は遊技盤で、前枠２の窓孔６に対応するように、前枠２の裏側の遊技盤装着枠９に裏側から着脱自在に装着され、窓孔６の下部側で前枠２の裏側に着脱自在に固定された支持板１０により下側から支持されている。１１は発射用の遊技球を貯留する上皿ユニットで、開閉板５の前側に装着されている。１２は余剰球等を貯留する下皿ユニットで、開閉板５の下側で前枠２の前側に装着されている。
　【０００９】
　１３は発射手段であり、下皿ユニット１２の一側で前枠２の前側に装着された発射ハンドル１４と、支持板１０の前側に装着された発射レール（図示省略）と、前枠２の裏側に配置された発射モータ１５及び打撃槌１６等を備え、発射ハンドル１４を操作したときに、発射モータ１５により打撃槌１６が作動して、開閉板５の裏側に装着された図外の球送り手段により発射レール上に１個づつ供給される遊技球を遊技盤８側に発射させるようになっている。
　【００１０】
　遊技盤８には、図４に示すように、発射手段１３により発射された遊技球を案内するガイドレール１７が環状に装着されると共に、このガイドレール１７の内側の遊技領域１８に入賞手段１９〜２１、液晶表示手段２２、始動用開閉入賞手段２３、大入賞手段２４等の各遊技部品が配置されている。また遊技盤８には、その遊技領域１８の外側の上隅部に、後述の基板取り付け部２５に対応する切り欠き部２６が、大入賞手段２４の下側中央にアウト球口２７が夫々成形されている。
　【００１１】
　遊技盤装着枠９には、遊技盤８を裏側から押圧するように、裏機構板２８が左右方向の一端側の上下一対のヒンジ２９により開閉自在に枢着され、４個の締結具３０により遊技盤装着枠９に締結されている。裏機構板２８には、上側に遊技球タンク３１とタンクレール３２が、左右の一側に払い出し手段３３が、下側に通路ユニット３４が夫々設けられている。払い出し手段３３は、遊技球が大入賞手段２４等に入賞したとき、遊技球タンク３１内からタンクレール３２を経て供給される遊技球を払い出し、通路ユニット３４を経て上皿ユニット１１等に案内するようになっている。
　【００１２】
　遊技盤８の裏側には、その液晶表示手段２２等の遊技部品を裏側から覆う裏カバー３５と、この裏カバー３５の下側に配置された集球ケース３６とが装着され、これらは裏機構板２８を閉じたときに、その開口に嵌合するように上下に配置されている。裏カバー３５には、遊技盤８側の遊技動作を制御する制御手段３７を収納した収納ケース３８が装着されている。集球ケース３６は、大入賞手段２４等に入賞して遊技盤８の裏側に通過した遊技球を集めて、裏機構板２８側の回収通路３９を経て島側に排出するためのものである。
　【００１３】
　ガラス扉４は、開閉板５の上側から前枠２の上端部に達する縦長矩形状であって、ヒンジ７により前枠２に開閉自在に枢着されている。ガラス扉４は、図６及び図７に示すように、遊技盤８の遊技領域１８の外周に対応する開口が形成された板金製の扉枠体４０と、この扉枠体４０の前面側に装着された化粧カバー４１と、扉枠体４０の裏側にガラス保持枠４２を介して装着された２枚一組のガラス板４３とを備えている。
　【００１４】
　扉枠体４０の上部側には、その前面側に装着された表示カバー４４と、この表示カバー４４の内部で扉枠体４０に装着されたランプ基板４５と、このランプ基板４５にプリント配線された複数個のＬＥＤ等の表示ランプ４６とが設けられている。表示ランプ４６は、大当たり表示用等であって、遊技盤８側の遊技動作に関連して適宜点滅発光するようになっている。ランプ基板４５には、ガラス扉４のヒンジ７の近傍にコネクタ４７が設けられ、このランプ基板４５側のコネクタ４７にコネクタ４８を介してリード線４９が着脱自在に接続されている。
　【００１５】
　遊技盤装着枠９は、図３に示すように、遊技盤８の上部を受ける上枠部５０と、遊技盤８の左右両側の側部を受ける左右一対の側枠部５１，５２と備えた門形状であって、その上枠部５０は左右方向の略中央で左右に二分割された一対の分割枠部５３，５４により構成されている。分割枠部５３，５４と側枠部５１，５２は両者が逆Ｌ字状となるように、隣接する側枠部５１，５２の上端部に分割枠部５３，５４が一体に成形されている。
　【００１６】
　側枠部５１，５２及び分割枠部５３，５４は、遊技盤受け面５１ａ〜５４ａを構成する段部を備えた略同一断面形状であり、窓孔６に沿って前枠２の裏側にネジ等の固定具５５により着脱自在に固定されている。なお、各分割枠部５３，５４は対向端部側に雄雌構造の嵌合式の接合部５６を有し、その接合部５６は嵌合部分を貫通する固定具５５により前枠２に固定されている。各側枠部５１，５２の下端は、支持板１０の左右両端部に係合している。支持板１０は上端側に遊技盤受け部１０ａを有し、その遊技盤受け部１０ａで遊技盤８を下側から受けて支持するようになっている。
　【００１７】
　一対の分割枠部５３，５４の内、ガラス扉４用のヒンジ７側の分割枠部５３には、基板取り付け部２５がヒンジ２９の近傍に一体に設けられ、この基板取り付け部２５に、遊技盤８側の遊技動作に関連する電気信号を送受する中継基板５７が着脱自在に取り付けられている。
　【００１８】
　基板取り付け部２５は、分割枠部５３の下側に、この分割枠部５３から前枠２の窓孔６内へと下方に突出し且つ分割枠部５３の遊技盤受け面５３ａよりも後方に突出するように設けられ、ガラス扉４の扉枠体４０等により前側から覆われている。一方、遊技盤８の上部には、遊技盤装着枠９に装着したときに、基板取り付け部２５の後方への突出部分が嵌脱自在に嵌合する切り欠き部２６が、基板取り付け部２５に対応して開口状に形成されている。
　【００１９】
　基板取り付け部２５は、図５〜図８に示すように、上端が分割枠部５３の下面に一体に接続する左右一対の側板部５８と、この一対の側板部５８の下端間を左右に一体に接続する接続板部５９とを備え、各側板部５８の下部側に、中継基板５７を前後方向の後方側から挿入する基板挿入溝６０が形成されている。また接続板部５９側には、基板挿入溝６０に挿入された中継基板５７の後端側に係合して係脱自在に係止する係止爪６１が後ろ向きに一体に形成されている。係止爪６１は、接続板部５９の左右方向の中央から一方側に偏位して、一方の側板部５８の近傍に配置されている。
　【００２０】
　基板取り付け部２５の前端は、ガラス扉４のガラス保持枠４２と干渉しないように、遊技盤装着枠９の前端よりも若干後方に位置しており、この基板取り付け部２５とガラス保持枠４２との間に所定の間隔がある。また基板取り付け部２５の後端は、遊技盤装着枠９に装着された遊技盤８の裏面と略面一状であり、裏機構板２８と干渉しないようになっている。側板部５８は、遊技盤８を着脱するときに切り欠き部２６の上側の縁と干渉しないように、突出部分の上側が後ろ下がりに傾斜している。係止爪６１は後端側に基板挿入用の案内面６１ａを有し、上下方向に弾性変形可能である。
　【００２１】
　中継基板５７は正方形又は長方形であって、その上面側の前後にコネクタ６２，６３が固定されている。そして、前側のコネクタ６２には、ガラス扉４側から引き出されたリード線４９のコネクタ６４が前後方向の前側から、また後側のコネクタ６３には、制御手段３７側から引き出されたリード線６５のコネクタ６６が前後方向の後側から夫々着脱自在に接続されている。なお、リード線６５は直接制御手段３７に接続しても良いし、裏機構板２８等に装着された分配基板等を介して制御手段３７に接続しても良い。
　【００２２】
　切り欠き部２６は、遊技盤８の遊技領域１８の外側で且つガラス扉４用のヒンジ７に近い上隅部において、遊技盤８の上縁及び側縁から所定寸法だけ内側に入った位置に基板取り付け部２５に対応して開口状に形成されている。なお、切り欠き部２６は、基板取り付け部２５との間に適当な隙間ができるように、基板取り付け部２５の外形よりも大きくなっている。
　【００２３】
　上記構成の弾球遊技機では、上枠部５０を左右の分割枠部５３，５４に分割し、その各分割枠部５３，５４と隣接する側枠部５１，５２の上端に一体に成形して、分割枠部５３，５４と側枠部５１，５２とが逆Ｌ字状となるように構成しているので、遊技盤装着枠９を二部材で構成できる。従って、上枠部５０と一対の側枠部５１，５２との三部材により遊技盤装着枠９を構成する従来の場合に比較して、部品点数が少なくなると共に、各部材相互の接合箇所も少なくなり、組み立て等の作業を容易に行うことができる。
　【００２４】
　ガラス扉４側の表示ランプ４６を制御手段３７に接続する際には、基板取り付け部２５に中継基板５７を取り付けて、この中継基板５７のコネクタ６２，６３に各リード線４９，６５のコネクタ６４，６６を前後から接続する。この場合、中継基板５７の左右両側を各側板部５８の基板挿入溝６０の後端側に合わせた状態で、基板取り付け部２５の裏側から中継基板５７を側板部５８間に挿入すると、案内面６１ａによって係止爪６１が下側へと弾性変形するので、中継基板５７を基板取り付け部２５内に容易に挿入できる。中継基板５７が所定位置まで達すれば、中継基板５７の後端側に係止爪６１が係合して中継基板５７を係止し、これによって中継基板５７を基板取り付け部２５に固定できる。
　【００２５】
　また中継基板５７を取り外す場合には、係止爪６１の後端側を押し下げて中継基板５７の係止を解除し、その状態で中継基板５７を後端側を摘んで後方へと抜き取れば良い。
　【００２６】
　従って、従来の上枠部５０内に中継基板５７を組み込む場合に比較して、分割枠部５３側の基板取り付け部２５に中継基板５７を容易に着脱でき、組み立て等の作業を容易に行うことができる。特に中継基板５７を取り外す場合にも、上枠部５０を前枠２から取り外す必要もなく、従来の煩雑さを解消できる。
　【００２７】
　中継基板５７にリード線４９のコネクタ６４を接続する場合には、そのコネクタ６４を中継基板５７上の各コネクタ６２に前後方向の前側から挿入して接続すれば良い。また制御手段３７側のリード線６５のコネクタ６６を接続する場合には、逆に裏側から挿入すれば良い。
　【００２８】
　何れの場合にも基板取り付け部２５が分割枠部５３から下側に突出して、その基板取り付け部２５に取り付けられた中継基板５７が前枠２の窓孔６内に位置し、その中継基板５７側のコネクタ６２，６３に対して前後方向の両側からコネクタ６４，６６を接続するようにしているため、中継基板５７に対してコネクタ６４，６６を容易に着脱することが可能である。またリード線４９，６５は前後に延びているので、リード線４９，６５の挟み込み等のトラブルが発生することもない。
　【００２９】
　遊技盤装着枠９に遊技盤８を装着する場合には、支持板１０の遊技盤受け部１０ａ上に遊技盤８の下端側を載せた後、遊技盤８を遊技盤装着枠９の左右の側枠部５１，５２間に嵌め込んで行けば良く、これによって遊技盤８が側枠部５１，５２及び分割枠部５３，５４の各遊技盤受け面５１ａ〜５４ａに当接して遊技盤装着枠９内に嵌合する。
　【００３０】
　このとき遊技盤８の上下位置及び左右位置が支持板１０の遊技盤受け部１０ａと左右の分割枠部５３，５４とによって決まるので、分割枠部５３の下側の基板取り付け部２５は遊技盤８と干渉することなく切り欠き部２６内に嵌合する。次いで裏機構板２８を閉じて、この裏機構板２８により遊技盤８を裏側から押圧するように、裏機構板２８を締結具３０により遊技盤装着枠９に固定する。なお、制御手段３７側のリード線６５は、裏機構板２８の締結後に中継基板５７のコネクタ６３に接続すれば良い。リード線４９は、ガラス扉４を前側に開放しても、ランプ基板４５と中継基板５７とのコネクタが抜けない程度の余裕を持った長さが好ましい。
　【００３１】
　以上、本発明の実施形態について詳述したが、本発明はこの実施形態に限定されるものではなく、その趣旨を逸脱しない範囲で種々の変更が可能である。基板取り付け部２５は、遊技盤装着枠９の側枠部５１，５２側に設けても良い。この場合、基板取り付け部２５が遊技盤装着枠９の内周側に突出するように設けることが好ましい。しかし、遊技盤装着枠９の外周側に設けることも可能である。
　【００３２】
　また場合によっては、遊技盤装着枠９の内部空間を利用して基板取り付け部２５を設け、遊技盤装着枠９の内部空間内に中継基板５７の全部又は一部が収まるように構成しても良い。遊技盤装着枠９は上枠部５０と左右一対の側枠部５１，５２との三部材により構成し、その上枠部５０、側枠部５１，５２又は支持板１０の上部等に基板取り付け部２５を設けても良い。
　【００３３】
　中継基板５７はガラス扉４側の表示ランプ４６への電気信号を授受するようにしているが、その電気信号は遊技動作に関連するものであれば良く、表示ランプ４６以外の電気部品をガラス扉４側に設けて、その電気部品用の電気信号を授受するようにしても良い。またガラス扉４側以外に設けた電気部品への電気信号の授受用に使用することも可能である。更に電気信号は球貸し操作部と自動球貸し機との間で送受する信号でも良い。
　【００３４】
　基板取り付け部２５は、遊技盤８の遊技領域１８の外側で対応するように上枠部５０の下側に設ければ良いが、極力、実施形態に例示するように、ガラス扉４用のヒンジ７に近い箇所で遊技盤８の上縁及び側縁から内側に入った隅部に対応させて配置することが望ましい。なお、遊技盤８の隅部に対応するように配置しても良い。
　【００３５】
　基板取り付け部２５の構造は、実施形態に例示するもの以外の構造でも良く、例えば、中継基板５７を左右方向に挿入するように基板取り付け部２５を構成しても良いし、基板取り付け部２５に対して中継基板５７を下側から上下方向に着脱するような構造にしても良い。またコネクタ等の着脱を考慮した場合、中継基板５７は略水平状に取り付けることが望ましいが、中継基板５７が小さい場合には、縦にした状態で基板取り付け部２５に取り付けるようにしても良い。更にパチンコ機は勿論のこと、他のアレンジボール機、雀球遊技機でも同様に実施可能である。
　【００３６】
　【発明の効果】
　本発明では、前枠２に、遊技盤８を着脱自在に装着する遊技盤装着枠９を備えた弾球遊技機において、
遊技盤装着枠９は、遊技盤８の上部を受ける上枠部５０と、遊技盤８の側部を受ける左右一対の側枠部５１，５２とを備えると共に、前枠２の窓孔６に沿って前枠２の裏側に設けられており、上枠部５０の下側に、遊技盤装着枠９の内周側に突出するように基板取り付け部２５を設け、該基板取り付け部２５に電気信号用の中継基板５７を前後方向に取り付けている
　【００３７】
　また
、遊技盤装着枠９の内周側に突出するように基板取り付け部２５を設け、該基板取り付け部２５に中継基板５７を前後方向に取り付けている
　【００３８】
　
遊技盤装着枠９は、遊技盤８の上部を受ける上枠部５０と、遊技盤８の側部を受ける左右一対の側枠部５１，５２とを備えると共に、前枠２の窓孔６に沿って前枠２の裏側に設けられており、上枠部５０の下側に、遊技盤装着枠９の内周側に突出するように基板取り付け部２５を設け、該基板取り付け部２５に電気信号用の中継基板５７を前後方向に取り付けている
　【００３９】
　また基板取り付け部２５は、上枠部５０の遊技盤受け面５３ａよりも後方に突出しているので、上枠部５０の下側に基板取り付け部２５があるにも拘わらず、中継基板５７の前後方向の寸法を十分に確保しながらも、ガラス扉４と基板取り付け部２５又は中継基板５７との干渉も回避できる。しかも基板取り付け部２５は、遊技盤８の遊技領域１８の外側で且つこの遊技盤８の隅部に対応しており、基板取り付け部２５が嵌脱自在に嵌合する切り欠き部２６を遊技盤８に設けているので、基板取り付け部２５が遊技盤受け面５３ａよりも後方に突出しても、遊技盤８との干渉も生じない。また切り欠き部２６は遊技盤８の上隅部側に配置できるため、その切り欠き部２６によって遊技盤８の遊技領域１８が制約を受けるような問題もない。
　【００４０】
　更に基板取り付け部２５は、上端が上枠部５０に一体に接続する左右一対の側板部５８と、この一対の側板部５８の下端間を左右に接続する接続板部５９とを備えているため、基板取り付け部２５の構造が簡単であり、十分な強度を確保できる。各側板部５８に、中継基板５７を前後方向に挿入する基板挿入溝６０を形成し、接続板部５９側に基板挿入溝６０に挿入された中継基板５７を係脱自在に係止する係止爪６１を設けているので、基板取り付け部２５に対して中継基板５７を容易に着脱できる。
　【００４１】
　しかも上枠部５０を左右に分割された一対の分割枠部５３，５４により構成し、この各分割枠部５３，５４をこれに隣接する各側枠部５１，５２の上端部に一体に成形し、分割枠部５３，５４の一方に基板取り付け部２５を一体に成形しているので、遊技盤装着枠９の部品点数を少なくできる。
【図面の簡単な説明】
　【図１】
　本発明の一実施形態を示す弾球遊技機の正面図である。
　【図２】
　本発明の一実施形態を示す弾球遊技機の背面図である。
　【図３】
　本発明の一実施形態を示す裏機構板等を取り外した状態の背面図である。
　【図４】
　本発明の一実施形態を示す遊技盤の正面図である。
　【図５】
　本発明の一実施形態を示す弾球遊技機の要部の背面図である。
　【図６】
　本発明の一実施形態を示す弾球遊技機の要部の側面断面図である。
　【図７】
　本発明の一実施形態を示す弾球遊技機の要部の平面断面図である。
　【図８】
　本発明の一実施形態を示す基板取り付け部の斜視図である。
　【符合の説明】
　２　前枠
　４　ガラス扉
　６　窓孔
　７　ヒンジ
　８　遊技盤
　９　遊技盤装着枠
　１８　遊技領域
　２５　基板取り付け部
　２６　切り欠き部
　３７　制御手段
　４６　表示ランプ
　５０　上枠部
　５１，５２　側枠部
　５３，５４　分割枠部
　５３ａ　遊技盤受け面
　５７　中継基板
　５８　側板部
　５９　接続板部
　６０　基板挿入溝
　６１　係止爪